(57)【要約】【課題】基地局まで電波が届かない場所にいる場合や基地局の機能がダウンしまった場合にも、ユーザが、携帯端末装置を利用して、所望の相手と通信を行うことができる通信装置を提供する。【解決手段】通信装置１００は、他の機器とのデータの送受信の際にケーブルが装着される携帯電話機のソケット側コネクタに着脱可能なプラグ側コネクタ１０３と、データを無線信号に変換して送信するとともに、受信した無線信号をデータに変換する通信部１０６と、プラグ側コネクタ１０３を介して携帯電話機からデータを受け取り、受け取ったデータを通信部１０６へ出力するともに、通信部１０６で変換されたデータを受け取り、受け取ったデータを、プラグ側コネクタ１０３を介して携帯電話機へ出力する通信制御部１０４と、を備える。【選択図】図２
2016158120.tif 000002
【特許請求の範囲】
【請求項１】
他の機器とのデータの送受信の際にケーブルが装着される携帯端末装置のソケット側コネクタに着脱可能なプラグ側コネクタと、
データを無線信号に変換して送信するとともに、受信した無線信号をデータに変換する通信部と、
前記プラグ側コネクタを介して前記携帯端末装置からデータを受け取り、受け取ったデータを前記通信部へ出力するともに、前記通信部で変換されたデータを受け取り、受け取ったデータを、前記プラグ側コネクタを介して前記携帯端末装置へ出力する制御部と、
を備えることを特徴とする通信装置。
【請求項２】
請求項１に記載の通信装置において、
前記プラグ側コネクタは電力入力用のポートを含み、
前記電力入力用のポートは、前記ソケット側コネクタに含まれる電力出力用のポートに接続され、
前記制御部および前記通信部を動作させるための電力が、前記携帯端末装置から前記入力用のポートを介して供給される、
ことを特徴とする通信装置。
【請求項３】
請求項１または２に記載の通信装置において、
前記制御部は、前記プラグ側コネクタが前記ソケット側コネクタに装着されると、装着された装置が前記通信装置であることを前記携帯端末装置に認識させるための識別情報を、前記携帯端末装置へ出力する、
ことを特徴とする通信装置。
【請求項４】
請求項１ないし３の何れか一項に記載の通信装置において、
前記携帯端末装置に前記通信装置を介したデータの送受信を実行させるための通信用プログラムを記憶する記憶部を、さらに備え、
前記制御部は、前記プラグ側コネクタが前記ソケット側コネクタに装着されると、前記記憶部から前記通信用プログラムを読み出して前記携帯端末装置へ出力する、
ことを特徴とする通信装置。
【請求項５】
請求項１ないし４の何れか一項に記載の通信装置において、
前記制御部は、前記プラグ側コネクタが前記ソケット側コネクタに装着されたとき、前記携帯端末装置から位置データを自動的に受け取って前記通信部に出力する、
ことを特徴とする通信装置。
【請求項６】
他の機器とのデータの送受信の際にケーブルが装着されるソケット側コネクタを備え、当該ソケット側コネクタに着脱可能なプラグ側コネクタと、データを無線信号に変換して送信するとともに、受信した無線信号をデータに変換する通信部と、を有する通信装置に接続可能な携帯端末装置であって、
表示部と、
前記ソケット側コネクタに前記通信装置のプラグ側コネクタが装着されると、前記通信装置へデータを出力させる操作に用いる操作画面を前記表示部に表示させる制御部と、を備える、
ことを特徴とする携帯端末装置。
【請求項７】
請求項６に記載の携帯端末装置において、
現在位置を検出する位置検出部を備え、
前記制御部は、前記ソケット側コネクタに前記通信装置のプラグ側コネクタが装着されると、前記現在位置のデータを前記通信装置に出力する、
ことを特徴とする携帯端末装置。
【請求項８】
携帯端末装置と通信装置とを有する通信システムであって、
前記携帯端末装置は、他の機器とのデータの送受信の際にケーブルが装着されるソケット側コネクタを備え、
前記通信装置は、
前記携帯端末装置のソケット側コネクタに着脱可能なプラグ側コネクタと、
データを無線信号に変換して送信するとともに、受信した無線信号をデータに変換する通信部と、
前記プラグ側コネクタを介して前記携帯端末装置からデータを受け取り、受け取ったデータを前記通信部へ出力するともに、前記通信部で変換されたデータを受け取り、受け取ったデータを、前記プラグ側コネクタを介して前記携帯端末装置へ出力する制御部と、を備える、
ことを特徴とする通信システム。
【発明の詳細な説明】
【技術分野】
【０００１】
本発明は、携帯電話機、ＰＤＡ（Personal Digital Assistant）、タブレットＰＣ（Tablet PC）等の携帯端末装置に着脱自在に装着される通信装置に関する。また、本発明は、携帯端末装置および通信システムに関する。
【背景技術】
【０００２】
従来、携帯電話機等の携帯端末装置は、基地局を介して他の携帯端末装置との間でテキストデータ、音声データ等のデータの送受信を行う（特許文献１参照）。
【先行技術文献】
【特許文献】
【０００３】
【特許文献１】特開２０１０−１６６２３３号公報
【発明の概要】
【発明が解決しようとする課題】
【０００４】
しかしながら、従来の携帯端末装置では、携帯端末装置から基地局まで電波（無線信号）が届かない場所では、他の携帯端末装置との間でデータの送受信を行うことができない。また、災害等が発生し、基地局の機能がダウンしてしまった場合も、同様に、他の携帯端末装置との間でのデータの送受信が行うことができない。
【課題を解決するための手段】
【０００５】
通信装置が開示される。一の実施の形態において、通信装置は、他の機器とのデータの送受信の際にケーブルが装着される携帯端末装置のソケット側コネクタに着脱可能なプラグ側コネクタと、データを無線信号に変換して送信するとともに、受信した無線信号をデータに変換する通信部と、前記プラグ側コネクタを介して前記携帯端末装置からデータを受け取り、受け取ったデータを前記通信部へ出力するともに、前記通信部で変換されたデータを受け取り、受け取ったデータを、前記プラグ側コネクタを介して前記携帯端末装置へ出力する制御部と、を備える。
【０００６】
携帯端末装置が開示される。一の実施の形態において、携帯端末装置は、他の機器とのデータの送受信の際にケーブルが装着されるソケット側コネクタを備え、当該ソケット側コネクタに着脱可能なプラグ側コネクタと、データを無線信号に変換して送信するとともに、受信した無線信号をデータに変換する通信部と、を有する通信装置に接続可能である。携帯端末装置は、表示部と、前記ソケット側コネクタに前記通信装置のプラグ側コネクタが装着されると、前記通信装置へデータを出力させる操作に用いる操作画面を前記表示部に表示させる制御部と、を備える。
【０００７】
通信システムが開示される。一の実施の形態において、通信システムは、携帯端末装置と通信装置とを有する。前記携帯端末装置は、他の機器とのデータの送受信の際にケーブルが装着されるソケット側コネクタを備える。前記通信装置は、前記携帯端末装置のソケット側コネクタに着脱可能なプラグ側コネクタと、データを無線信号に変換して送信するとともに、受信した無線信号をデータに変換する通信部と、前記プラグ側コネクタを介して前記携帯端末装置からデータを受け取り、受け取ったデータを前記通信部へ出力するともに、前記通信部で変換されたデータを受け取り、受け取ったデータを、前記プラグ側コネクタを介して前記携帯端末装置へ出力する制御部と、を備える。
【発明の効果】
【０００８】
一の実施の形態によれば、基地局まで電波が届かない場所にいる場合や基地局の機能がダウンしまった場合にも、ユーザが、携帯端末装置を利用して、所望の相手と通信を行うことができる通信装置を提供することができる。
【０００９】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１０】
【図１】実施の形態に係る、通信装置の構成を示す図である。
【図２】実施の形態に係る、通信装置の構成を示す図である。
【図３】実施の形態に係る、携帯電話機の外観構成を示す図である。
【図４】実施の形態に係る、携帯電話機の全体構成を示すブロック図である。
【図５】実施の形態に係る、２つの携帯電話機の間で、通信装置を用いた通信が行われている様子を示す図である。
【図６】実施の形態に係る、通信装置側で実行される通信制御処理を示すフローチャートである。
【図７】実施の形態に係る、携帯電話機側で実行される送受信制御処理を示すフローチャートである。
【図８】実施の形態に係る、送受信制御処理が実行されたときに、ディスプレイに表示される各種の操作画面の一例を示す図である。
【図９】実施の形態に係る、送受信制御処理が実行されたときに、ディスプレイに表示される各種の操作画面の一例を示す図である。
【図１０】実施の形態に係る、送受信制御処理が実行されたときに、ディスプレイに表示される各種の操作画面の一例を示す図である。
【図１１】変更例に係る、通信装置の構成について説明するための図である。
【図１２】その他の変更例に係る、ディスプレイにおいて、基地局を介した通信および通信装置を介した通信のそれぞれの通信状態を示した画面の一例を示す図である。
【発明を実施するための形態】
【００１１】
以下、実施の形態の通信装置および当該通信装置が装着可能な携帯電話機について、図面を参照して説明する。
【００１２】
まず、通信装置１００の構成について説明する。
【００１３】
図１および図２は、通信装置１００の構成を示す図である。図１（ａ）および（ｂ）は、それぞれ、ハウジング１０１の上部にキャップ１０２が取り付けられた状態の平面図および正面図である。図１（ｃ）および（ｄ）は、それぞれ、ハウジング１０１の下部にキャップ１０２が取り付けられた状態の平面図および正面図である。図２は、通信装置１００のブロック図である。
【００１４】
通信装置１００は、ハウジング１０１と、キャップ１０２と、プラグ側コネクタ１０３と、通信制御部１０４と、記憶部１０５と、通信部１０６とを含む。ハウジング１０１の上端部１０１ａと下端部１０１ｂは、キャップ１０２の嵌め込みが可能となるよう、他の部分よりも外径が小さくされている。ハウジング１０１の側面には、ストラップが取り付けられる取付部１０７が一体形成されている。通信装置１００は、ストラップを介してキー等に連結することが可能であり、こうすれば、ユーザは、キー等とともに通信装置１００を携帯することができる。
【００１５】
ハウジング１０１の上面に、プラグ側コネクタ１０３が設けられている。通信装置１００が使用されないときには、図１（ａ）および（ｂ）のように、ハウジング１０１の上部にキャップ１０２が被せられる。プラグ側コネクタ１０３がキャップ１０２で覆われることによって保護される。一方、通信装置１００が使用されるときには、図１（ｃ）および（ｄ）のように、キャップ１０２が、ハウジング１０１の上部から外されてハウジング１０１の下部に被せられる。
【００１６】
プラグ側コネクタ１０３は、少なくとも、データが入出力されるデータ入出力ポート１０３ａと電力が入力される電源ポート１０３ｂとを含む。データ入出力ポート１０３ａは、通信制御部１０４に接続されており、電源ポート１０３ｂは、通信制御部１０４、記憶部１０５および通信部１０６に接続されている。
【００１７】
通信制御部１０４、記憶部１０５および通信部１０６は、ハウジング１０１内に配されている。
【００１８】
記憶部１０５は、ＲＯＭ、ＲＡＭ等を含む。記憶部１０５には、後述する通信制御処理を通信制御部１０４に実行させるためのプログラムが記憶されている。また、記憶部１０５には、通信装置１００が装着される携帯電話機に、装着された装置が通信装置１００であるあることを認識させるための識別情報が記憶されている。
【００１９】
通信制御部１０４は、ＣＰＵ等を含む。通信制御部１０４は、記憶部１０５に記憶されたプログラムに従って、記憶部１０５、通信部１０６等を制御する。
【００２０】
通信部１０６は、信号を変換するための回路、電波を送受信するアンテナ等を含む。通信部１０６は、通信制御部１０４から入力されたデータ信号を、所定の規格に従った変調方式により無線信号に変換し、変換された無線信号を、アンテナを介して外部へ送信する。通信部１０６による無線信号の送信出力は、携帯電話機が備え得る近距離無線通信機能による通信範囲を大幅に超える距離、たとえば、数十Ｋｍの距離まで無線信号が届く大きさに設定されている。
【００２１】
さらに、通信部１０６は、通信先となる携帯電話機に装着された他の通信装置１００から送信された無線信号であって上記所定の規格に従った変調方式で変換された無線信号を受信すると、受信した無線信号をデータ信号へ変換し、変換されたデータ信号を通信制御部１０４へ出力する。
【００２２】
次に、通信装置１００が装着可能な携帯電話機２００の構成について説明する。なお、携帯電話機２００と通信装置１００とで通信システムが構成される。
【００２３】
図３（ａ）ないし（ｃ）は、それぞれ、携帯電話機２００の正面図、右側面図および底面図である。
【００２４】
携帯電話機２００は、キャビネット２０１と、ディスプレイ２０２と、タッチパネル２０３と、マイクロフォン２０４と、通話スピーカ２０５と、外部スピーカ２０６と、キー操作部２０７と、ソケット側コネクタ２０８とを含む。
【００２５】
キャビネット２０１は、正面から見て、ほぼ長方形の輪郭を有する。キャビネット２０１の正面側にディスプレイ２０２が配されている。ディスプレイ２０２には、液晶ディスプレイ、有機ＥＬディスプレイ等が用いられる。ディスプレイ２０２の表面にタッチパネル２０３が配置されている。タッチパネル２０３には、静電容量式、感圧式等、各種方式のタッチパネルが用いられる。
【００２６】
キャビネット２０１の内部には、下端部にマイクロフォン２０４が配されている。また、キャビネット２０１の内部には、上端部に通話スピーカ２０５が、中央部の背面側に外部スピーカ２０６が、それぞれ配されている。通話の際には、通信先の機器（携帯電話機等）から受信した受話音声が通話スピーカ２０５から出力され、ユーザが発した発話音声がマイクロフォン２０４に入力される。また、電話の着信音等の音が外部スピーカ２０６から出力される。
【００２７】
キャビネット２０１には、ディスプレイ２０２の下にキー操作部２０７が設けられている。キー操作部２０７は、画面をホーム画面に戻すホームキー、画面を一つ前の画面に戻すバックキー等、各種の操作キーを含む。なお、キー操作部２０７は、物理的なボタンから構成されても、タッチセンサで構成されてもよい。また、ディスプレイ２０２の下に設けられるのではなく、ディスプレイ２０２に表示されるものであってもよい。
【００２８】
キャビネット２０１の底面に、ソケット側コネクタ２０８が設けられている。ソケット側コネクタ２０８には、携帯電話機２００とパソコン等の外部機器との間でデータの送受信が行われる際に、データケーブルのプラグ側コネクタが接続される。また、ソケット側コネクタ２０８には、携帯電話機２００が充電される際に、充電器からの電源ケーブルのプラグ側コネクタが接続される。さらに、ソケット側コネクタ２０８には、後述するように、通信装置１００を用いた通信が行われる際に、通信装置１００のプラグ側コネクタ１０３が接続される。
【００２９】
図４は、携帯電話機２００の全体構成を示すブロック図である。
【００３０】
携帯電話機２００は、制御部２１１と、記憶部２１２と、画像出力部２１３と、タッチ検出部２１４と、音声入力部２１５と、音声出力部２１６と、音声処理部２１７と、キー入力部２１８と、通信部２１９と、位置検出部２２０と、電源部２２１とを含む。
【００３１】
記憶部２１２は、ＲＯＭ、ＲＡＭ、外部メモリ等を含む。記憶部２１２には、携帯電話機２００の各部を制御するための制御プログラムの他、電話、メッセージ、ウェブブラウザ、電話帳等のアプリケーションプログラムが記憶されている。さらに、記憶部２１２には、通信装置１００を用いた通信が行われる際に、制御部２１１により実行される通信用プログラムが記憶されている。プログラムは、メーカによって携帯電話機２００の製造時に記憶部２１２に記憶される他、通信網やメモリカード、ＣＤ−ＲＯＭ等の記憶媒体を介して記憶部２１２に記憶される。
【００３２】
制御部２１１は、ＣＰＵ等を含む。制御部２１１は、記憶部２１２に記憶されたプログラムに従って、携帯電話機２００を構成する各部（記憶部２１２、画像出力部２１３、タッチ検出部２１４、音声入力部２１５、音声出力部２１６、音声処理部２１７、キー入力部２１８、通信部２１９、位置検出部２２０等）を制御する。
【００３３】
画像出力部２１３は、ディスプレイ２０２等を含む。画像出力部２１３は、制御部２１１からの制御信号と画像信号に基づき、ディスプレイ２０２に画像（画面）を表示する。タッチ検出部２１４は、タッチパネル２０３等を含み、タッチパネル２０３、即ちディスプレイ２０２に対するタッチ操作を検出する。より具体的には、タッチ検出部２１４は、タッチパネル２０３がタッチされた位置を検出し、位置信号を制御部２１１へ出力する。
【００３４】
音声入力部２１５は、マイクロフォン２０４等を含み、マイクロフォン２０４で収集した音声に基づく電気信号を音声処理部２１７へ出力する。音声出力部２１６は、通話スピーカ２０５、外部スピーカ２０６等を含み、音声処理部２１７からの電気信号に基づく音を、通話スピーカ２０５または外部スピーカ２０６から出力させる。音声処理部２１７は、音声入力部２１５からの電気信号にＡ／Ｄ変換等を施し、変換後のデジタルの音声信号を制御部２１１へ出力する。また、音声処理部２１７は、制御部２１１からのデジタルの音声信号にデコード処理およびＤ／Ａ変換等を施し、変換後の電気信号を音声出力部２１６に出力する。
【００３５】
キー入力部２１８は、キー操作部２０７の各操作キーが押下されたときに、押下された操作キーに応じた信号を制御部２１１へ出力する。
【００３６】
通信部２１９は、通話や通信を行うため、信号を変換するための回路、電波を送受信するアンテナ等を含む。通信部２１９は、制御部２１１から入力される通話や通信のための信号を無線信号に変換し、変換された無線信号を、アンテナを介して基地局へ送信する。さらに、通信部２１９は、アンテナを介して受信した無線信号を制御部２１１が利用できる形式の信号へ変換し、変換された信号を制御部２１１へ出力する。なお、通信部２１９は、数十メートル範囲の近距離無線通信を行うための近距離無線通信回路を備えていてもよい。
【００３７】
位置検出部２２０は、ＧＰＳセンサ等を含み、ＧＰＳセンサが計測した現在位置の位置データ（緯度、経度）を制御部２１１に出力する。
【００３８】
電源部２２１は、バッテリーを含み、制御部２１１やその他の各部に電力を供給する。
【００３９】
ソケット側コネクタ２０８は、少なくとも、データが入出力されるデータ入出力ポート２０８ａと電力が入出力される電源ポート２０８ｂとを含む。データ入出力ポート２０８ａは、制御部２１１に接続されており、電源ポート２０８ｂは、電源部２２１に接続されている。
【００４０】
充電器からの電源ケーブルのプラグ側コネクタがソケット側コネクタ２０８に接続されたときには、充電器から電源ポート２０８ｂに電力が入力され、入力された電力が電源部２２１に供給される。一方、通信装置１００のプラグ側コネクタ１０３がソケット側コネクタ２０８に接続されたときには、電源部２２１から電力が電源ポート２０８ｂに出力される。
【００４１】
図５は、２つの携帯電話機２００Ａ、２００Ｂの間で、通信装置１００Ａ、１００Ｂを用いた通信が行われている様子を示す図である。
【００４２】
災害により基地局の機能がダウンするなど、互いが比較的遠く離れた一方の携帯電話機２００Ａと他方の携帯電話機２００Ｂとの間で基地局を介した通信が行えない場合に、一方の携帯電話機２００Ａに一方の通信装置１００Ａが装着され、他方の携帯電話機２００Ｂに他方の通信装置１００Ｂが装着される。通信装置１００Ａ、１００Ｂは、プラグ側コネクタ１０３をソケット側コネクタ２０８に差し込むことにより、携帯電話機２００Ａ、２００Ｂに装着される。通信装置１００Ａと通信装置１００Ｂとの間には、互いに通信が可能となるように、カップリングの設定がなされている。カップリングの設定は、製造時にメーカ側が行うものであってもよいし、製品購入後にユーザが行うものであってもよい。
【００４３】
通信装置１００Ａ、１００Ｂが携帯電話機２００Ａ、２００Ｂに装着されると、携帯電話機２００Ａ、２００Ｂ側では、制御部２１１によって、通信装置１００Ａ、１００Ｂを用いたデータ送受信のための送受信制御処理が、通信用プログラムに従って実行される。また、通信装置１００Ａ、１００Ｂ側では、通信制御部１０４によって通信制御処理が実行される。こうして、２つの通信装置１００Ａ、１００Ｂの間で、基地局を介することなく通信が行われ、２つの携帯電話機２００Ａ、２００Ｂの間でテキストデータ、音声データ等のデータの送受信が行われる。
【００４４】
以下、通信装置１００と携帯電話機２００の動作について詳細に説明する。便宜上、動作説明を行う通信装置および携帯電話機を、通信装置１００Ａおよび携帯電話機２００Ａとし、これらの通信先となる通信装置および携帯電話機を通信装置１００Ｂおよび携帯電話機２００Ｂと称する。
【００４５】
通信装置１００Ａでは、プラグ側コネクタ１０３がソケット側コネクタ２０８に接続されると、携帯電話機２００Ａの電源部２２１からソケット側コネクタ２０８の電源ポート２０８ｂおよびプラグ側コネクタ１０３の電源ポート１０３ｂを介して通信制御部１０４、記憶部１０５および通信部１０６に電力が供給される。通信制御部１０４が起動し、通信制御処理が開始される。
【００４６】
図６は、通信装置１００Ａ側で実行される通信制御処理を示すフローチャートである。
【００４７】
処理が開始されると、通信制御部１０４は、記憶部１０５から識別情報を読み出し、読み出した識別情報を、プラグ側コネクタ１０３のデータ入出力ポート１０３ａを介して携帯電話機２００Ａへ出力する（Ｓ１０１）。携帯電話機２００Ａ側では、制御部２１１が識別情報に基づいて通信装置１００Ａの接続を検出し、送受信制御処理が開始される。これにより、通信装置１００Ａと携帯電話機２００Ａとの間で各種のデータ（テキストデータ、音声データ、位置データ）のやり取りが可能となる。
【００４８】
通信制御部１０４は、携帯電話機２００Ａからデータが入力されたか否かを判定する（Ｓ１０２）。また、通信制御部１０４は、通信部１０６からデータが入力されたか否を判定する（Ｓ１０３）。携帯電話機２００Ａからプラグ側コネクタ１０３のデータ入出力ポート１０３ａを介してデータが入力されると（Ｓ１０２：ＹＥＳ）、通信制御部１０４は、入力されたデータを通信部１０６へ出力する（Ｓ１０４）。通信部１０６に入力されたデータは、無線信号に変換されて外部に送信される。
【００４９】
通信部１０６は、通信先の携帯電話機２００Ｂに装着された通信装置１００Ｂから無線信号を受信すると、受信した無線信号をデータに変換し、通信制御部１０４へ出力する。通信部１０６からデータが入力されると（Ｓ１０３：ＹＥＳ）、通信制御部１０４は、入力されたデータをプラグ側コネクタ１０３のデータ入出力ポート１０３ａを介して携帯電話機２００Ａに出力する（Ｓ１０５）。
【００５０】
携帯電話機２００Ａでは、上述のように、制御部２１１が、通信装置１００Ａから入手した識別情報に基づいて通信装置１００Ａが装着されたことを認識すると、送受信制御処理が開始する。即ち、送受信制御処理は、ユーザが所定の開始操作を行わなくとも、通信装置１００Ａが携帯電話機２００Ａに装着されることで自動的に開始される。
【００５１】
図７は、携帯電話機２００Ａ側で実行される送受信制御処理を示すフローチャートである。図８ないし図１０は、送受信制御処理が実行されたときに、ディスプレイ２０２に表示される各種の操作画面の一例を示す図である。
【００５２】
処理が開始されると、制御部２１１は、画像出力部２１３を制御してディスプレイ２０２に操作項目画面を表示する（Ｓ２０１）。図８（ａ）に示すように、操作項目画面は、位置送信ボタン３０１、位置確認ボタン３０２およびメッセージボタン３０３を含む。なお、図８（ａ）に示した操作項目画面は一例であって、ユーザが選択可能なボタンの種類はこれらに限られない。
【００５３】
制御部２１１は、タッチ検出部２１４による検出に基づき、何れかのボタンが操作されたか否かを判定する（Ｓ２０２）。何れかのボタンが操作されると（Ｓ２０２：ＹＥＳ）、制御部２１１は、何れのボタンが操作されたのかを判定する（Ｓ２０３）。操作されたボタンが位置送信ボタン３０１である場合（２０３：位置送信）、制御部２１１は、位置検出部２２０から位置データを取得し、取得した位置データをソケット側コネクタ２０８のデータ入出力ポート２０８ａを介して通信装置１００Ａへ出力する（Ｓ２０４）。これにより、通信装置１００Ａから通信先の通信装置１００Ｂへ位置データが送信される。
【００５４】
一方、操作されたボタンが位置確認ボタン３０２である場合（Ｓ２０３：位置確認）、制御部２１１は、ディスプレイ２０２に位置確認画面を表示する（Ｓ２０５）。図８（ｂ）に示すように、位置確認画面には、自身の携帯電話機２００Ａの位置を示す第１マーカ４０１が中央に表示され、通信先の携帯電話機２００Ｂの位置を示す第２マーカ４０２が、携帯電話機２００Ａからの距離と方向に応じた位置確認画面上の位置に表示される。さらに、第１マーカ４０１と第２マーカ４０２の下方に緯度と経度とが表示される。なお、通信先の携帯電話機２００Ｂの位置データが取得されていない場合には、第２マーカ４０２が表示されない。位置確認画面の表示中に閉じる操作がなされると（Ｓ２０６：ＹＥＳ）、制御部２１１は、位置確認画面を閉じて操作項目画面に戻す（Ｓ２０１）。なお、閉じる操作には、キー操作部２０７の所定の操作キーが用いられ得る。
【００５５】
また一方、操作されたボタンがメッセージボタン３０３である場合（Ｓ２０３：メッセージ）、制御部２１１は、ディスプレイ２０２にメッセージ画面を表示する（Ｓ２０７）。図９（ａ）に示すように、メッセージ画面は、メッセージ掲示領域５０１と、テキスト入力ボタン５０２と、音声入力ボタン５０３と、送信ボタン５０４とを含む。
【００５６】
テキストによるメッセージを入力する場合、ユーザは、テキスト入力ボタン５０２にタッチする。キーボードからなるテキスト入力ウィンドウ（図示せず）がメッセージ画面に表示される。ユーザは、キーボードを用いてテキストによるメッセージを入力する。一方、音声によるメッセージを入力する場合、ユーザは、音声入力ボタン５０３にタッチする。音声入力操作のための音声入力ウィンドウ（図示せず）がメッセージ画面に表示される。ユーザは、音声入力ウィンドウ上での操作により音声によるメッセージを入力する。
【００５７】
テキストや音声によるメッセージが入力され（Ｓ２０８：ＹＥＳ）、さらに、送信操作がなされると、即ち、送信ボタン５０４へタッチされると（Ｓ２０９：ＹＥＳ）、制御部２１１は、入力されたメッセージのデータ（テキストデータ、音声データ）を通信装置１００Ａへ出力する（Ｓ２１０）。これにより、通信装置１００Ａから通信先の通信装置１００Ｂへメッセージのデータが送信される。
【００５８】
制御部２１１は、送信したメッセージをメッセージ掲示領域５０１に掲示する（Ｓ２１１）。図９（ｂ）に示すように、テキストによるメッセージの場合は、メッセージが記載された吹き出し５０５がメッセージ掲示領域５０１に表示され、音声によるメッセージの場合は、マイクのイラストが描かれた吹き出し５０６がメッセージ掲示領域５０１に表示される。なお、吹き出し５０６がタッチされると、制御部２１１は、音声によるメッセージを外部スピーカ２０６から出力させる。さらに、制御部２１１は、送信したメッセージのデータを記憶部２１２に保存する（Ｓ２１２）。
【００５９】
メッセージ画面の表示中に閉じる操作がなされると（Ｓ２１３：ＹＥＳ）、制御部２１１は、メッセージ画面を閉じて操作項目画面に戻す（Ｓ２０１）。
【００６０】
操作項目画面の表示中に閉じる操作がなされた場合（Ｓ２１４：ＹＥＳ）、制御部２１１は操作項目画面を閉じる（Ｓ２１５）。操作項目画面が閉じられた状態でも引き続き送受信制御処理は実行され、操作項目画面を開く操作がなされた場合（Ｓ２１６：ＹＥＳ）、制御部２１１は、再び、操作項目画面をディスプレイ２０２に表示する（Ｓ２０１）。なお、開く操作は、たとえば、ホーム画面上に表示された通信用プログラムに対応するアイコンをタッチする操作とされる。
【００６１】
操作項目画面の表示中に、あるいは、操作項目画面が表示されていない間に、通信装置１００Ａが携帯電話機２００Ａから取り外され、ソケット側コネクタ２０８へのプラグ側コネクタ１０３の接続が解除されると（Ｓ２１７：ＹＥＳ、Ｓ２１８：ＹＥＳ）、制御部２１１は送受信制御処理を終了させる。
【００６２】
なお、図７のフローチャートには表されていないが、通信先の携帯電話機２００Ｂから携帯電話機２００Ａへデータが届いた場合、制御部２１１は、受け取ったデータを記憶部２１２に保存する。そして、制御部２１１は、操作項目画面が表示されていれば、図１０（ａ）に示すように、データが届いたことを示す通知ウィンドウ３０４を操作項目画面に表示する。届いたデータがメッセージのデータである場合、その後、メッセージ画面が開かれると、制御部２１１は、図１０（ｂ）に示すように、通信先からのテキストのメッセージに対応する吹き出し５０７や音声のメッセージに対応する吹き出し５０８をメッセージ掲示領域５０１に表示する。なお、操作項目画面が閉じているときにデータが届いた場合には、制御部２１１は、操作項目画面を立ち上げて、立ち上げた操作項目画面上に通知ウィンドウ３０４を表示する。
【００６３】
なお、図８ないし図１０の操作画面は、携帯電話機２００Ａの電池残量を示すマーク２０２ａ、電波の強さを示すアンテナマーク２０２ｂ、および現在時刻の情報２０２ｃを含む。アンテナマーク２０２ｂは、アンテナマーク２０２ｂが表示されている携帯電話機２００の周囲に、通信装置１００が接続された他の携帯電話機２００が存在し、通信装置１００を介して他の携帯電話機２００と通信可能である場合に表示されてもよい。よって、通信装置１００が接続された他の携帯電話機２００が周囲に存在しない、すなわち通信装置１００を介した通信ができない場合は、このアンテナマーク２０２ｂは表示されなくてもよい。これにより、ユーザは、通信装置１００が接続された携帯電話機２００が、通信装置１００を介して通信可能な範囲に存在するか否かを判別することができる。
【００６４】
＜実施の形態の効果＞
以上、本実施の形態によれば、災害により基地局の機能がダウンするなど、基地局を介した通信が行えない場合に、各ユーザが、それぞれ所有する携帯電話機２００のソケット側コネクタ２０８へ通信装置１００のプラグ側コネクタ１０３を接続するだけで、双方の携帯電話機２００の間でデータの送受信を行うことが可能となる。
【００６５】
さらに、本実施の形態によれば、通信装置１００は、携帯電話機２００から供給された電力により動作を行うので、通信装置１００に電池やバッテリーを搭載する必要がなく、通信装置１００本体を小型・軽量化でき、また、コストを低減できる。
【００６６】
さらに、本実施の形態によれば、プラグ側コネクタ１０３がソケット側コネクタ２０８に装着されると、携帯電話機２００に操作項目画面を自動で立ち上げさせるために、識別情報が通信装置１００から携帯電話機２００へ出力される。このため、ユーザは、携帯電話機２００への通信装置１００の装着後に操作項目画面を立ち上げる操作を行う必要がなく、速やかにデータ（位置データ、テキストデータ、音声データ）を通信先へ送信できる。
【００６７】
以上、本発明の実施の形態について説明したが、本発明は、上記実施の形態等によって何ら制限されるものではなく、また、本発明の実施の形態も、上記以外に種々の変更が可能である。
【００６８】
＜変更例＞
上述した実施の形態では、携帯電話機２００は、通信装置１００の接続を検出すると送受信制御処理を開始する。しかしながら、携帯電話機２００が通信装置１００を介して通信を行うための所定の通信用プログラムを予め有していないと、通信装置１００の接続を検出しても送受信制御処理を開始できない場合がある。本変形例では、携帯電話機２００がこのような通信用プログラムを予め有していなくても、携帯電話機２００に通信装置１００が接続された場合に、通信装置１００から携帯電話機２００に通信用プログラムが供給されることにより、携帯電話機２００が送受信制御処理を開始することが可能になる。
【００６９】
この通信用プログラムは、携帯電話機２００が通信装置１００を介して通信を行うことを可能にする。たとえば、通信用プログラムは、携帯電話機２００と通信装置１００との間でデータのやり取りを可能にするための設定プログラムや、携帯電話機２００から通信装置１００に出力されるデータを通信装置１００同士の間で通信可能な信号に変換するための変換プログラムなどを含む。
【００７０】
図１１は、変更例に係る、通信装置１００の構成について説明するための図である。図１１（ａ）は、通信装置１００のブロック図であり、図１１（ｂ）は、通信制御処理を示すフローチャートである。
【００７１】
図１１（ａ）に示すように、本変更例の通信装置１００では、携帯電話機２００の制御部２１１に送受信制御処理を実行させるための通信用プログラムが記憶部２１２に記憶されている。
【００７２】
そして、図１１（ｂ）に示すように、本変更例の通信装置１００では、通信制御処理が開始されると、通信制御部１０４は、識別情報を送信する前に、通信用プログラムを記憶部１０５から読み出して携帯電話機２００へ出力する（Ｓ１１０）。
【００７３】
このような構成とすることにより、事前に携帯電話機２００に通信用プログラムが入れられていなくても、ユーザは、通信装置１００を携帯電話機２００に装着するだけで通信装置１００を用いたデータの送受信を行うことが可能となる。
【００７４】
＜その他の変更例＞
上記実施の形態では、操作項目画面上の位置送信ボタン３０１の操作により位置データが携帯電話機２００から通信装置１００に出力される。しかしながら、制御部２１１は、送受信制御処理が開始されると、操作項目画面が表示される前、あるいは、操作項目画面が表示された後に、位置データを自動的に通信装置１００へ出力するようにしてもよい。この場合、図７のステップＳ２０４の処理が、ステップＳ２０１の処理の前あるいは後に実行されることとなる。また、操作項目画面から位置送信ボタン３０１が削除される。通信装置１００は、プラグ側コネクタ１０３がソケット側コネクタ２０８に装着されたときに、通信制御部１０４が携帯電話機２００から位置データを自動的に受け取って通信部１０６に出力するような構成となる。
【００７５】
このような構成とされれば、ユーザが災害に巻き込まれるなどして、細かな操作が行えない状態となっても、通信装置１００を携帯電話機２００に装着できさえすれば、ユーザの現在位置を通信先に知らせることができる。
【００７６】
さらに、上記実施の形態において、通信装置１００を用いて２つの携帯電話機２００の間で通話が行える構成とされてもよい。
【００７７】
さらに、上記実施の形態には、互いに送信可能にカップリング設定された２つの通信装置１００を用いて、２つの携帯電話機２００の間で通信を行う例が記載されている。しかしながら、互いに送信可能にカップリング設定された３つ以上の通信装置１００を用いることにより、３つ以上の携帯電話機２００の間でデータの送受信が可能となる。
【００７８】
なお、通信装置１００が携帯電話機２００に接続された場合、たとえば、図７（ａ）の操作項目画面に表示された位置送信および位置確認のように、ユーザが使用できる機能が限定されてもよい。この場合、携帯電話機２００にインストールされているアプリケーションは全部使用できないようにしてもよいし、あるいは、通信装置１００が携帯電話機２００に接続された場合であっても、携帯電話機２００にインストールされているアプリケーションの全部または一部が使用できてもよい。
【００７９】
さらに、通信装置１００が携帯電話機２００に接続されると、ユーザが使用できる機能が限定され、携帯電話機２００から通信装置１００が取り外されると、携帯電話機２００にインストールされている全てのアプリケーションが使用できるようになってもよい。
【００８０】
なお、通信装置１００が携帯電話機２００に接続されている間は、携帯電話機２００は、基地局を介してではなく、通信装置１００を介して他の携帯電話機とデータの送受信を行うようにしてもよい。たとえば、携帯電話機２００から基地局まで電波（無線信号）が届かない場所で、通信装置１００を用いて他の携帯電話機との間でデータの送受信を行っている間に、場所を移動する、または電波状況が改善するなどして、基地局までの電話が届くようになった場合でも、通信装置１００が携帯電話機２００に接続されている限り、携帯電話機２００は通信装置１００を介したデータの送受信を維持するようにしてもよい。
【００８１】
また、これに限らず、携帯電話機２００から基地局まで電波（無線信号）が届かない場所で、通信装置１００を用いて他の携帯電話機との間でデータの送受信を行っている間に、基地局までの電話が届くようになった場合には、携帯電話機２００が、通信装置１００を介した通信の代わりに、基地局を介した通信に切り替えるような構成が採られてもよい。
【００８２】
さらに、携帯電話機２００のディスプレイ２０２に、基地局を介した通信の状態（たとえば、電波の強さ）および通信装置１００を介した通信の状態が表示されてもよい。図１２は、ディスプレイ２０２において、基地局を介した通信（ＬＴＥ）および通信装置１００を介した通信のそれぞれの通信状態を示した画面の一例を示す図である。図１２（ａ）は、基地局まで電波が届かない状態で、通信装置１００を介した通信の状態が良好である場合の画面の一例、図１２（ｂ）は、通信装置１００を介した通信の状態が良好で維持される一方、基地局まで電波が届くようになった場合の画面の一例を示している。
【００８３】
図１２においては、通信状態をアンテナマーク２０２ｄ、２０２ｅのアンテナの本数で示している。アンテナの本数が多いほど通信の状態が良好であり、アンテナの本数が少ないほど通信の状態が悪いことを示す。基地局を介した通信は、アンテナマーク２０２ｄとともに「ＬＴＥ」という文字が表示され、通信装置１００を介した通信は、アンテナマーク２０２ｅとともに、通信装置１００を介した通信であることを示す文字、たとえば、「ＰＢＣ（portable base station）」が表示される。ただし、通信状態の表示態様はこれに限られない。
【００８４】
この場合、携帯電話機２００のユーザは、基地局を介した通信の状態および通信装置１００を介した通信の状態を認識することができるので、当該ユーザは、基地局を介した通信の状態が良好になったことを認識すると、通信装置１００を携帯電話機２００から取り外す、または、通信方式を、所定の通信装置１００を介した通信から基地局を介した通信に切り替えるなどの操作を行うことができる。たとえば、通信装置１００を携帯電話機２００から取り外した場合、通信装置１００を介した通信の状態を示すアンテナマーク２０２ｅは表示されなくなる。
【００８５】
なお、通信装置１００が携帯電話機２００に接続されている間は、通信装置１００を介した通信の通信状態を示し、基地局を介した通信の通信状態を示さない構成が採られてもよい。
【００８６】
さらに、上記実施の形態では、通信装置１００が装着される携帯電話機２００がスマートフォン型であるが、通信装置１００が装着される携帯電話機は、ストレート式、折りたたみ式、スライド式等、如何なるタイプの携帯電話機であってもよい。また、通信装置１００が装着される携帯端末装置は、携帯電話機に限られるものではなく、ＰＤＡ（Personal Digital Assistant）、タブレットＰＣ（TabletPC）等、種々の携帯端末装置であってよい。
【００８７】
この他、本発明の実施形態は、特許請求の範囲に示された技術的思想の範囲内において、適宜、種々の変更が可能である。
【符号の説明】
【００８８】
１００  通信装置
１０３  プラグ側コネクタ
１０３ａ  データ入出力ポート
１０３ｂ  電源ポート（電力入力用のポート）
１０４  通信制御部（制御部）
１０５  記憶部
１０６  通信部
２００  携帯電話機（携帯端末装置）
２０８  ソケット側コネクタ
２０８ａ  データ入出力ポート
２０８ｂ  電源ポート（電力出力用のポート）
【図１】
2016158120.tif 000003
【図２】
2016158120.tif 000004
【図３】
2016158120.tif 000005
【図４】
2016158120.tif 000006
【図５】
2016158120.tif 000007
【図６】
2016158120.tif 000008
【図７】
2016158120.tif 000009
【図８】
2016158120.tif 000010
【図９】
2016158120.tif 000011
【図１０】
2016158120.tif 000012
【図１１】
2016158120.tif 000013
【図１２】
2016158120.tif 000014